(57)【要約】【課題】本発明の目的は、現像剤補給容器を現像剤受け入れ装置から取り外した際に、現像剤受け入れ装置から現像剤が飛散したり、現像剤受け入れ装置に異物が混入したりする不具合を防止することである。また、簡単な操作でしかも軽い力で現像剤を補給できるようにすることである。【解決手段】装置シャッタ８を有する現像剤受け入れ装置７に着脱自在な現像剤補給容器１であって、現像剤補給容器１を現像剤受け入れ装置７に装着後に前記容器１を回転移動させた時に、現像剤受け入れ装置７から脱着不可に規制される部位（係止突起１０）と、前記現像剤補給容器１をさらに回転移動させると、前記装置シャッタ８のロックを解除する部位（爪部６ｂ）と、を有することを特徴とする。【選択図】    図２
2006189675.tif 000002
【特許請求の範囲】
【請求項１】
現像剤を画像形成装置本体内に受け入れる受け入れ口と、前記受け入れ口を開閉自在に封止し、かつ前記受け入れ口を封止する位置でロックされている装置シャッタと、を有する現像剤受け入れ装置に着脱自在な現像剤補給容器において、
前記受け入れ口と連通し内部に収納された現像剤を前記受け入れ口に排出するための排出口と、
前記現像剤補給容器を前記現像剤受け入れ装置に装着後に回転移動させた時に、前記現像剤受け入れ装置から脱着不可に規制される部位と、
前記現像剤補給容器をさらに回転移動させると、前記装置シャッタのロックを解除する部位と、
を有することを特徴とする現像剤補給容器。
【請求項２】
前記現像剤補給容器を前記装置シャッタのロックを解除した後もなおも回転移動させることで、前記装置シャッタを移動させて前記受け入れ口を開封させるための連動部を有することを特徴とする請求項１に記載の現像剤補給容器。
【請求項３】
前記連動部は、前記装置シャッタが開いた状態から前記現像剤補給容器を前記装置シャッタ開封時の回転方向の逆方向へ回転移動させることで、前記装置シャッタを封止かつロックされる位置に移動させることを特徴とする請求項２に記載の現像剤補給容器。
【請求項４】
前記連動部には、前記現像剤補給容器の回転移動に伴って前記装置シャッタとの係合が解除されるようにスナップフィット構造部が設けられていることを特徴とする請求項２又は請求項３に記載の現像剤補給容器。
【請求項５】
前記排出口を開閉する容器シャッタを有し、前記容器シャッタは前記現像剤補給容器を前記現像剤受け入れ装置に装着すると、前記現像剤受け入れ装置に対して移動不可に係止される係止部を有することを特徴とする請求項１乃至請求項４のいずれかに記載の現像剤補給容器。
【請求項６】
前記連動部は、前記容器シャッタが前記現像剤受け入れ装置に移動不可に係止された状態で前記現像剤補給容器を回転移動させると、前記排出口の現像剤補給容器の移動方向先端が前記容器シャッタから露出するのと略同時に、前記装置シャッタの移動方向後端側に略一致し、このとき装置シャッタのロックが解除されるようになっていることを特徴とする請求項５に記載の現像剤補給容器。
【請求項７】
前記連動部は、前記排出口の移動方向先端が前記装置シャッタの移動方向後端に略一致したときに、前記装置シャッタが移動を開始するように構成されていることを特徴とする請求項２乃至請求項７のいずれかに記載の現像剤補給容器。
【発明の詳細な説明】
【技術分野】
【０００１】
本発明は、複写機、ファクシミリ、プリンタ等の電子写真画像形成装置の現像剤受け入れ装置に現像剤を補給するための現像剤補給容器に関するものである。
【背景技術】
【０００２】
従来、電子写真複写機やプリンタ等の画像形成装置には現像剤として微粉末のトナーが使用されている。そして、画像形成装置本体のトナーが消費された場合には、トナー補給容器を用いて画像形成装置へトナーを補給することが行われている。ただし、トナーは極めて微細な粉末であるため、トナー補給作業時にトナーが飛散してオペレータや周囲を汚すという問題があった。このため、トナー補給容器を画像形成装置本体内部に据え置いて、小さな開口部から少量ずつトナーを排出する方式が提案、実用されている。
【０００３】
こうしたトナー補給容器を、以下に例示して簡単に説明する。
【０００４】
特開平７−１８１７９３号公報（以下、特許文献１という）に開示されているものは、円筒状のトナー補給容器をトナー受け入れ装置に装着すると、その装着と同時に、トナー補給容器に設けた突起状の係合部材が、トナー受け入れ装置のシャッタに設けた穴状の係合部に作用して、前記シャッタのロックが解除される。そして、トナー補給容器の回動に連動して前記シャッタが開封されて、トナー補給容器とトナー受け入れ装置が連通してトナー補給が行われる。
【０００５】
また特開平９−１２０２０４号公報（以下、特許文献２という）に開示されているものでは、箱型のトナー補給容器をトナー受け入れ装置に装着すると、トナー補給容器はトナー受け入れ装置から脱着不可に規制され、同時にトナー受け入れ装置のシャッタのロックが解除される。
【０００６】
また特開２００１−３４０５２号公報（以下、特許文献３という）に開示されているものでは、ボトル形状のトナー補給容器をトナー受け入れ装置に装着後、トナー補給容器の開口の開封方向に移動させると、トナー補給容器はトナー受け入れ装置から脱着不可に規制された後に、装置シャッタのロックが解除される。
【０００７】
【特許文献１】特開平７−１８１７９３号公報
【特許文献２】特開平９−１２０２０４号公報
【特許文献３】特開２００１−３４０５２号公報
【発明の開示】
【発明が解決しようとする課題】
【０００８】
しかしながら、上記特許文献１に開示されている構成では、トナー補給容器をトナー受け入れ装置に装着すると同時に装置シャッタのロックが解除されるため、装着動作に大きな力が必要となる。また装置シャッタを閉じる際には、装置シャッタがロックされるのと同時にトナー補給容器が脱着可能となるため、部品等のバラツキや操作の加減によっては、トナー補給容器を脱着したにも関わらず、装置シャッタが完全に閉じていなかったり、或いは装置シャッタがロックされていなかったりする不具合が生じる可能性がある。装置シャッタが閉じていないと、トナー受け入れ装置から現像剤が漏れて飛散したり、逆に埃や異物がトナー受け入れ装置内に混入する恐れがある。
【０００９】
また上記特許文献２に開示されている構成でも、トナー補給容器の装着時にトナー補給容器をトナー受け入れ装置に脱着不可に規制し、同時に装置シャッタの２組あるロックを解除するため、多大の操作力が必要となる。トナー補給容器の脱着時には、トナー補給容器を装置シャッタを閉じる方向に押し込み、トナー受け入れ装置のトナー受け入れ口を封止する位置からさらに所定量過剰に移動させることで、トナー補給容器をトナー受け入れ装置から脱着するようになっている。このようにトナー補給容器をトナー受け入れ装置から脱着させる場合には、前記封止位置からさらに移動させるという余計な操作が必要であり、ユーザーによってはこの操作をし忘れてトナー補給容器がトナー受け入れ装置から脱着できない可能性がある。
【００１０】
また上記特許文献３に開示されている構成では、トナー補給容器に設けた装置シャッタのロック解除用の爪部がトナー受け入れ装置のカバー内に侵入することで、トナー補給容器をトナー受け入れ装置への装着方向へ脱着不可に規制しているが、装置シャッタのロックは爪部が侵入直後の位置に設けてあるため、トナー補給容器の装着方向への規制が十分にされているとは言えない。このため、例えば装置シャッタのロックを解除する前後に、前記規制が十分にされていないトナー補給容器を斜めに傾けてしまった場合、該トナー補給容器がトナー受け入れ装置から外れてしまう恐れがある。
【００１１】
本発明の目的は、現像剤補給容器を現像剤受け入れ装置から脱着した状態では、現像剤受け入れ装置の装置シャッタは確実に封止されしかもロックされ、現像剤受け入れ装置からの現像剤の飛散や現像剤受け入れ装置への異物等の混入を防止することである。
【００１２】
また本発明の他の目的は、現像剤受け入れ装置に対して現像剤補給容器を現像剤補給可能な状態に装着するまでに要する操作力を低減することである。
【００１３】
さらに本発明の他の目的は、現像剤補給容器を現像剤受け入れ装置から脱着する際に余分な操作を必要とせず、簡単でわかりやすい操作で現像剤が補給できるようにすることである。
【課題を解決するための手段】
【００１４】
上記目的を達成するため本発明の第１の構成は、現像剤を画像形成装置本体内に受け入れる受け入れ口と、前記受け入れ口を開閉自在に封止し、かつ前記受け入れ口を封止する位置でロックされている装置シャッタと、を有する現像剤受け入れ装置に着脱自在な現像剤補給容器において、前記受け入れ口と連通し内部に収納された現像剤を前記受け入れ口に排出するための排出口と、前記現像剤補給容器を前記現像剤受け入れ装置に装着後に回転移動させた時に、前記現像剤受け入れ装置から脱着不可に規制される部位と、前記現像剤補給容器をさらに回転移動させると、前記装置シャッタのロックを解除する部位と、を有することを特徴とする。
【００１５】
上記第１の構成においては、現像剤補給容器を装着後に移動し、脱着不可に規制された後で装置シャッタのロックが解除されるため、誤って現像剤補給容器が装着されていない状態や装着が不完全な状態で装置シャッタを開いてしまうことがない。また、現像剤補給容器の装着、現像剤補給容器の脱着不可の規制、装置シャッタのロック解除をそれぞれタイミングをずらして行うため、これらに要する操作力が分散され、軽微な力で一連の操作を行うことができる。
【００１６】
本発明に係る第２の構成は、前記現像剤補給容器を前記装置シャッタのロックを解除した後もなおも回転移動させることで、前記装置シャッタを移動させて前記受け入れ口を開封させるための連動部を有することを特徴とする。
【００１７】
上記第２の構成においては、装置シャッタのロック解除後に現像剤補給容器の移動を続けることで装置シャッタを開くことができ、現像剤補給容器を装着してからの移動という１アクションで、現像剤補給容器の脱着不可、装置シャッタのロック解除、装置シャッタの開封という全ての操作を行うことができる。
【００１８】
本発明に係る第３の構成は、前記連動部は、前記装置シャッタが開いた状態から前記現像剤補給容器を前記装置シャッタ開封時の回転方向の逆方向へ回転移動させることで、前記装置シャッタを封止かつロックされる位置に移動させることを特徴とする。
【００１９】
上記第３の構成においては、現像剤補給容器の装着・装置シャッタの開封時と逆の操作をすることで装置シャッタの封止・現像剤補給容器の脱着ができ、簡単でわかりやすい操作方法を提供できる。
【００２０】
本発明に係る第４の構成は、前記連動部には、前記現像剤補給容器の回転移動に伴って前記装置シャッタとの係合が解除されるようにスナップフィット構造部が設けられていることを特徴とする。
【００２１】
上記第４の構成においては、現像剤補給容器を移動させた際に、前記連動部を確実かつ容易に装置シャッタと係合させたり解除させたりすることができる。
【００２２】
本発明に係る第５の構成は、前記排出口を開閉する容器シャッタを有し、前記容器シャッタは前記現像剤補給容器を前記現像剤受け入れ装置に装着すると、前記現像剤受け入れ装置に対して移動不可に係止される係止部を有することを特徴とする。
【００２３】
上記第５の構成においては、現像剤補給容器にも容器シャッタを設けることで使用済み現像剤補給容器の排出口を再封することができ、使用済み現像剤補給容器からの現像剤の漏れや飛散を更に低減できる。しかも容器シャッタは現像剤受け入れ装置に移動不可に係止され、現像剤補給容器を移動させることで排出口を開封・閉止できるため、特に操作を追加する必要がない。
【００２４】
本発明に係る第６の構成は、前記連動部は、前記容器シャッタが前記現像剤受け入れ装置に移動不可に係止された状態で前記現像剤補給容器を回転移動させると、前記排出口の現像剤補給容器の移動方向先端が前記容器シャッタから露出するのと略同時に、前記装置シャッタの移動方向後端側に略一致し、このとき装置シャッタのロックが解除されるようになっていることを特徴とする。
【００２５】
上記第６の構成においては、必要時以外は装置シャッタをロックし、現像剤受け入れ装置への異物等の侵入を確実に防止することができる。
【００２６】
本発明に係る第７の構成は、前記連動部は、前記排出口の移動方向先端が前記装置シャッタの移動方向後端に略一致したときに、前記装置シャッタが移動を開始するように構成されていることを特徴とする。
【００２７】
上記第７の構成においては、現像剤補給容器の排出口と現像剤受け入れ装置の受け入れ口を対向させる際に、現像剤補給容器や装置シャッタの外面を現像剤で汚す状況を極力回避することができる。
【発明の効果】
【００２８】
以上説明したように、本発明によれば、現像剤補給容器が装着されていない状態で、誤って装置シャッタを開いてしまい、そこから現像剤が飛散したり、異物が混入したりする不具合を防止できる。
【００２９】
また、現像剤補給容器の装着時あるいは脱着時の操作力を低減することができる。
【００３０】
さらには、現像剤補給容器を脱着する際に余分な操作を必要とせず、簡単でわかりやすい操作で現像剤が補給できる。
【発明を実施するための最良の形態】
【００３１】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００３２】
先ず最初に本発明に係る現像剤補給容器が装着される電子写真画像形成装置の一例である電子写真複写機の構成について図１に基づいて説明する。
【００３３】
同図において、１００は電子写真複写機本体（以下装置本体という）である。また、１０１は原稿であり、原稿台ガラス１０２の上に置かれる。そして、画像情報に応じた光像が光学部１０３の複数のミラーＭとレンズＬｎにより、電子写真感光体ドラム１０４上に結像する。１０５〜１０８はカセットである，これらカセット１０５〜１０８に積載された記録媒体（以下、「用紙」という。）Ｐのうち、操作部から使用者が入力した情報もしくは原稿１０１の紙サイズから最適な用紙をカセット１０５〜１０８の用紙サイズ情報から選択する。ここで、記録媒体としては、用紙に限定されずに、例えばＯＨＰシート等適宜選択できる。
【００３４】
そして、給送分離装置１０５Ａ〜１０８Ａにより搬送された１枚の用紙Ｐを、搬送部１０９を経由してレジストローラ１１０まで搬送し、感光体ドラム１０４の回転と、光学部１０３のスキャンのタイミングを同期させて搬送する。なお、１１１、１１２は転写放電器、分離放電器である。ここで、転写放電器１１１によって、感光体ドラム１０４上に形成された現像剤像を用紙Ｐに転写する。そして、分離放電器１１２によって、現像剤像の転写された用紙Ｐを感光体ドラム１０４から分離する。
【００３５】
この後、搬送部１１３により搬送された用紙Ｐは、定着部１１４において熱と圧により用紙上の現像剤像を定着させた後、片面コピーの場合には、排出反転部１１５を通過し、排出ローラ１１６により排出トレイ１１７へ排出される。また、両面コピーの場合には、排出反転部１１５のフラッパ１１８の制御により、再給送搬送部１１９，１２０を経由してレジストローラ１１０まで搬送された後、片面コピーの場合と同様の経路をたどって排出トレイ１１７へ排出される。
【００３６】
また、多重コピーの場合には、用紙Ｐは排出反転部１１５を通り、一度排出ローラ１１６により一部が装置外へ排出される。そして、この後、用紙Ｐの終端がフラッパ１１８を通過し、排出ローラ１１６にまだ挟持されているタイミングでフラッパ１１８を制御すると共に排出ローラ１１６を逆回転させることにより、再度装置内へ搬送される。さらにこの後、再給送搬送部１１９、１２０を経由してレジストローラ１１０まで搬送された後、片面コピーの場合と同様の経路をたどって排出トレイ１１７へ排出される。
【００３７】
ところで、上記構成の装置本体１００において、感光体ドラム１０４の回りには現像部２０１、クリーナ部２０２、一次帯電器２０３等が配置されている。ここで、現像部２０１は、原稿１０１の情報を光学部１０３により感光体ドラム１０４に形成された静電潜像を現像剤を用いて現像するものである。そして、この現像部２０１ヘ現像剤を補給するための現像剤補給容器１が装置本体１００に使用者によって着脱可能に設けられている。ここで、現像部２０１は、現像剤補給容器１を取り外し可能に装着する現像剤受け入れ装置７と現像器２０１ａとを有しており、更に現像器２０１ａは、現像ローラ２０１ｂと、送り部材２０１ｃを有している。現像剤補給容器１から補給された現像剤は、送り部材２０１ｃにより現像ローラ２０１ｂに送られて、この現像ローラ２０１ｂにより感光体ドラム１０４に供給される。
【００３８】
なお、クリーナ部２０２は、感光体ドラム１０４に残留している現像剤を除去するためのものである。また、一次帯電器２０３は、感光体ドラム１０４を帯電するためのものである。
【００３９】
また外装カバーの一部である現像剤補給容器交換用カバー１５が設けてあり、使用者が現像剤補給容器１を装置本体１００に装脱着を行う際は、図２の矢印Ａ方向に交換用カバー１５を開けて行う。
【００４０】
〔第１実施形態〕
第１実施形態における現像剤補給容器１の構成について、図２（ａ）〜（ｃ）を用いて説明する。
【００４１】
現像剤補給容器１の現像剤を収納する容器本体１ａは略円筒形状であり、容器本体１ａの円周上に、長手方向に伸びるスリット状の現像剤排出口１ｂが設けられており、封止部材１１により封止される。封止部材１１は、例えば容器本体にフィルムを引き剥がし可能に接着するのが好適であるが、これに限定されるものではない。なお、現像剤とは１成分トナー、２成分キャリア、２成分トナーあるいはこれらの混合物のいずれでもよい。
【００４２】
また、現像剤補給容器１には、ユーザーが現像剤補給容器１の補給操作時に掴むハンドル２が設けられており、前記ハンドル２は現像剤補給容器１の長手方向の両端に固定されて設けられている。
【００４３】
容器本体１ａには撹拌部材４が内装され、さらに容器本体１ａの長手方向の他端には前記撹拌部材４と連動する駆動ギア５が設けられている。従って、現像剤補給容器１を画像形成装置本体に装着した後、前記装置本体からの駆動力を、駆動ギア５を介して撹拌部材４が受けて回転し、現像剤補給容器１内の現像剤を排出口１ｂから排出する構成になっている。
【００４４】
容器本体１ａの周面上には、装置シャッタ８のロックを解除するための係合突起６が設けられている。この係合突起６は、現像剤補給容器１の補給操作時に、後述する装置シャッタ８をロックしているロックアーム９と係合可能な構成となっている。すなわち係合突起６は、図２（ｃ）に示すように、後述する現像剤受け入れ装置７の装置シャッタ８を開封不可にロックしているロックアーム９に作用してこれを解除する部位としての爪部６ｂを有する。
【００４５】
係合突起６は、プラスチック等の樹脂を射出成型して容器本体１ａと一体で製造するのが好ましいが、他の材料及び製造方法であっても、任意に分割、接合しても構わない。また、爪部６ｂは、前述の通り装置シャッタ８と変形して係合するため、適度な弾性が必要とされる。その材料としては耐衝撃性ポリスチレン樹脂やＡＢＳ樹脂が好適であるが、これらに限定されるものではない。
【００４６】
容器本体１ａの端面上には、現像剤補給容器１を現像剤受け入れ装置７に脱着不可に係止するための係止突起１０が設けられている。この係止突起１０は、現像剤補給容器１の補給操作時に、後述する現像剤受け入れ装置７の係止溝７ｅに係止可能な構成となっている。係止突起１０は、現像剤補給容器１を後述する現像剤受け入れ装置７に装着後に回転移動させた時に、前記現像剤受け入れ装置７から脱着不可に規制される部位である。
【００４７】
次に第１実施形態における現像剤受け入れ装置７の構成について、図３（ａ）〜（ｄ）を用いて説明する。
【００４８】
現像剤受け入れ装置７には、現像剤補給容器１を取り外し可能に装着する収納部７ａと、現像剤補給容器１から排出された現像剤を画像形成装置本体内（不図示）に受け入れる受け入れ口としての補給口７ｂが設けられている。
【００４９】
さらに、現像剤受け入れ装置７には、前記補給口７ｂを開閉自在に封止する装置シャッタ８が設けられている。装置シャッタ８は、現像剤補給容器１及び収納部７ａの周面形状に沿った半円筒面の形状を有しており、軸線方向（図中Ｄ方向）に沿ってスライド移動し、装置シャッタ開口部８ｂと補給口７ｂを一致または不一致とすることで、補給口７ｂを開閉自在に封止する。この装置シャッタ８は、現像剤補給容器１を収納部７ａに装着していない時は、図３（ａ）に示すように、装置シャッタ８は補給口７ｂを閉鎖し、画像形成装置本体側から収納部７ａ側へ現像剤が逆流しないようにするとともに、異物やゴミ等が現像剤受け入れ装置７内に侵入するのを防止している。更にこの時、図３（ｃ）及び（ｄ）に示すように、装置シャッタ８のロックアーム９が現像剤受け入れ装置７に設けた係合穴７ｆに嵌合しており、装置シャッタ８は開封不可にロックされている。
【００５０】
さらに、現像剤受け入れ装置７には、図３（ｅ）に示すように、現像剤補給容器１を現像剤受け入れ装置７に脱着不可に係止するための係止溝７ｅが設けられている。この係止溝７ｅは、現像剤補給容器１の装脱着方向に対して平行に設けられた縦溝７ｇと、後述する現像剤補給操作において、現像剤補給容器１回転時の係止突起１０の軌跡に合わせて設けられた円弧溝７ｈより構成されている。
【００５１】
次に、第１実施形態における現像剤補給容器１及び現像剤受け入れ装置７を用いた現像剤補給操作について、図４（ａ）〜（ｅ）を用いて説明する。
【００５２】
まず現像剤補給容器１を、現像剤受け入れ装置７へ矢印Ｆ方向から装着する（図４（ａ）参照）。その際、現像剤補給容器１の係止突起１０は、現像剤受け入れ装置７の係止溝７ｅの縦溝７ｇに沿って侵入するため、もし正しくない向きや姿勢で装着しようとすると、係止突起１０が縦溝７ｇに入り込めず、これを排除するようになっている（図４（ｃ）参照）。また、装着時には、現像剤補給容器１の排出口１ｂはフィルム状の封止部材１１によって封止された状態にあり、装置シャッタ８によって封止されている補給口７ｂから離れた位相に位置している。
【００５３】
次に、ユーザーがハンドル２を持って、現像剤補給容器１を図２（ｂ）に示す側（駆動ギア５とは反対側）から軸線方向に見て反時計回り方向（第１の方向）に回転させると、係止突起１０は係止溝７ｅの円弧溝７ｈに侵入する。その直後には、係止突起１０は円弧溝７ｈにより円周方向にのみ移動可能なように規制されるため、現像剤補給容器１を現像剤受け入れ装置７から外すことができなくなる（図４（ｄ）参照）。
【００５４】
ユーザーが更にハンドル２を前記第１の方向に回転させると、装置シャッタ８のロックが解除される。より詳細には、現像剤補給容器１の係合突起６の先端に爪部６ｂがあり、爪部６ｂの斜面Ｆが装置シャッタ８のロックアーム９の爪部９ａの斜面Ｇに当接し、斜面同士の当接によりロックアーム９が軸中心方向に向かって弾性変形し、爪部９ａが係合穴７ｆから離脱することで、装置シャッタ８は開封可能にロック解除される（図４（ｅ）参照）。
【００５５】
ハンドル２をさらに回転させて現像剤補給容器１の排出口１ｂと現像剤受け入れ装置７の補給口７ｂの位相が一致したところで、現像剤補給容器１がそれ以上回転ができないように規制される。この規制は係止突起１０と係止溝７ｅの係止関係によって達成されるが、現像剤補給容器１またはハンドル２と、現像剤受け入れ装置７または装置シャッタ８とが係止するようにしても構わない。
【００５６】
所定の位置まで回転が終了したら、次にユーザーは開封操作に入る。まず、装置シャッタ８と一体的に設けられたツマミ部８ｃを持って図中Ｄ方向に移動させる（図４（ｂ）参照）。装置シャッタ８は図３（ａ）に示すように封止部８ａと開口部８ｂを有し、前記移動により排出口１ｂ及び補給口７ｂに対向していた封止部８ａが退避し、代わりに開口部８ｂがこれらに対向する。なお、装置シャッタ８が開封した状態ではハンドル２を操作しても現像剤補給容器１を回転させることができないように規制することが望ましい。その手段としては、装置シャッタ８の一部と現像剤補給容器１の一部とを係止することで容易に達成できるが、詳細はここでは省略する。
【００５７】
この状態で、ユーザーが封止部材１１を引き剥がして除去すると、現像剤補給容器１の排出口１ｂ、装置シャッタ８の開口部８ｂ、現像剤受け入れ装置７の補給口７ｂの全てが連通した状態となり、開封操作は完了する。
【００５８】
この状態で、画像形成装置本体からの駆動力を、駆動ギア５を介して撹拌部材４に伝達することで現像剤補給容器１から現像剤受け入れ装置７へ現像剤が補給され、画像形成が行われる。
【００５９】
現像剤の補給が終了すると、現像剤補給容器１が空になったことが従来公知の検知手段によって検知され、現像剤無し表示等によりユーザーに報知される。前記情報が報知されたユーザーは、現像剤補給容器１を現像剤受け入れ装置７から取り外す作業を適宜行う。
【００６０】
現像剤補給容器１を現像剤受け入れ装置７から取り外すには、ユーザーはまず、ツマミ部８ｃを持って開封時とは逆方向にこれを移動することで、装置シャッタ８を封止位置（封止部８ａで補給口７ｂを封止する位置）へ移動させる。前記のように現像剤補給容器１と装置シャッタ８との間に係止関係があれば、誤ってハンドル２を先に回転させてしまう不具合が防止できて好ましい。
【００６１】
次にユーザーは、ハンドル２を持って前記第１の方向とは逆の方向（第２の方向）に回転させる。するとまず装置シャッタ８が開封不可にロックされる。より詳細には、係合突起６がロックアーム９から退避し、弾性変形していたロックアーム９は弾性復元力によって元の位置に戻り、爪部９ａが係合穴７ｆに入り込むことで再ロックが達成される（図４（ｅ）→（図３（ｄ））。
【００６２】
ユーザーがさらにハンドル２の第２の方向への回転を続けると、係止突起１０が係止溝７ｅの円弧溝７ｈの中を移動し、やがて係止突起１０が縦溝７ｇに達することにより、円弧溝７ｈによる規制から開放される（図４（ｃ））。そして最後に、ハンドル２を持って現像剤補給容器１を図４（ａ）に示す矢印Ｆ方向とは逆方向に引き上げて、現像剤受け入れ装置７から取り外す。
【００６３】
以上で一連の現像剤補給作業は完了する。
【００６４】
なお、本実施形態では、装置シャッタ８を開封してから現像剤補給容器１の封止部材１１を除去して開封させたが、この順序は逆でも良く、装着前に封止部材１１を除去しておき、開封した現像剤補給容器１を装着・回転させた後装置シャッタ８を開封させることもできるが、本実施形態で示した順序で開封する方が、現像剤の飛散による汚れはより少なくなり好ましい。
【００６５】
実際に現像剤を充填した現像剤補給容器１を１０本用意し、現像剤受け入れ装置７に装着して現像剤を排出させて画像形成を行い、現像剤が無くなったら現像剤補給容器１を脱着させる操作を繰り返した。現像剤補給容器１を脱着した状態では常に装置シャッタ８は封止位置にあってロックされており、現像剤受け入れ装置７の補給口７ｂから現像剤が漏れて飛散して現像剤受け入れ装置７を汚してしまうようなことはなかった。また、補給口７ｂから異物等が混入することもなく、形成された画像には白スジや転写抜け等の異物混入に起因する画像欠陥は全く見られなかった。
【００６６】
以上説明したように、本実施形態によれば、現像剤補給容器１脱着後の現像剤の漏れ・飛散を極力抑えることができるとともに、現像剤受け入れ装置７への異物混入を確実に防止することができる。そして現像剤補給容器１の装着動作と、現像剤補給容器１の脱着不可の規制と、装置シャッタ８のロック解除動作のタイミングがずれているため、それぞれを行うのに必要な力が分散され、全体として軽微な力（概ね３０Ｎ以下）で補給操作を行うことができる。
【００６７】
〔第２実施形態〕
本発明の第２実施形態を、図５〜図６を用いて説明する。なお、第２実施形態において前述した第１実施形態と対応する部分の記号は第１実施形態と同じであり、共通しているところは説明を省略する。
【００６８】
第２実施形態においては、装置シャッタ８の形状は現像剤補給容器１及び収納部７ａの周面形状に沿った半円筒面の形状を有するが、第１実施形態に係る装置シャッタのように開口部は無く、封止部８ａのみである。そして装置シャッタ８は収納部７ａ下縁に設けられたガイド部材７ｃと係合しており、円周方向に沿ってスライド移動し、補給口７ｂを開閉自在に封止する。装置シャッタ８は現像剤補給容器１を収納部７ａに装着していない時には図５（ａ）に示すように、装置シャッタ８の端部を現像剤受け入れ装置７に設けたストッパー７ｄに当接させて補給口７ｂを閉鎖し、画像形成装置本体側から収納部７ａ側へ現像剤が逆流しないようになっている。
【００６９】
装置シャッタ８には第１実施形態と類似したロックアーム９が一体的に設けてあるが、更に現像剤補給容器１の操作時に現像剤補給容器１の係合突起６と係合して移動力を受ける係合部８ｄを有している。
【００７０】
次に、第２実施形態における現像剤補給操作について、図６（ａ）〜（ｅ）を用いて説明する。
【００７１】
現像剤補給容器１を現像剤受け入れ装置７に装着し（図６（ａ）参照）、ハンドル２を持って回転させ、はじめに現像剤補給容器１が脱着不可に規制され、次いで装置シャッタ８が開封可能にロック解除するところまではほぼ同様である。ロック解除するタイミングは、排出口１ｂの下縁（移動方向先端）が装置シャッタ８の上縁（移動方向後端）と略一致した時に設定するのが好ましい（図６（ｂ）参照）。
【００７２】
装置シャッタ８のロック解除後、続いてハンドル２を回転させ続けると、係合突起６と装置シャッタ８の係合部８ｄとが係合しているため、装置シャッタ８の上縁（移動方向後端）が排出口１ｂの下縁（移動方向先端）と略一致したまま現像剤補給容器１と連動して移動（回転）するため、補給口７ｂは開封される（図６（ｃ）参照）。このように本実施形態では、前記現像剤補給容器１の係合突起６が、現像剤補給容器１を装置シャッタ８のロックを解除した後もなおも回転移動させることで、装置シャッタ８を回転（移動）させて現像剤受け入れ装置７の補給口７を開封させるための連動部として機能する。
【００７３】
この後、第１実施形態と同様にユーザーが封止部材１１を引き剥がして除去し、開封操作は完了する。
【００７４】
現像剤補給が完了して再封する動作について説明する。現像剤補給が完了すると、補給口７ｂの下縁の上には排出中に蓄積された現像剤（Ｔｏｎｅｒ）が残留している（図６（ｄ）参照）。ユーザーがハンドル２を前記第２の方向に回転すると、装置シャッタ８の係合部８ｄは係合突起６に係合したままであるため、装置シャッタ８は上縁が排出口１ｂの下縁と略一致したまま係合突起６に引っ張られて現像剤補給容器１と連動して移動（回転）し、補給口７ｂを密閉する。その際に、前記の蓄積現像剤（Ｔｏｎｅｒ）は現像剤受け入れ装置７内または容器本体１ａ内に回収される（図６（ｅ）参照）。
【００７５】
すなわち排出口１ｂと補給口７ｂを連通した状態からこれらを再封する際、前記連動部としての係合突起６が、装置シャッタ８の上縁（閉じる際の移動方向先端）と排出口１ｂの下縁（移動方向後端）が略一致した状態で連通部を通過するように、容器本体１ａと装置シャッタ８の移動を連動させる。この動作により図６（ｅ）に示すように補給口７ｂが封止され、この補給口７ｂの封止の際に、前記蓄積現像剤（Ｔｏｎｅｒ）は現像剤受け入れ装置７もしくは容器本体１ａ内に回収できる。
【００７６】
さらにハンドル２を持って前記第２の方向に回転をし続けると、装置シャッタ８が開封不可にロックされる。より詳細には、係合突起６がロックアーム９から退避し、弾性変形していたロックアーム９は弾性復元力によって元の位置に戻り、爪部９ａが係合穴７ｆに入り込むことで再ロックが達成される（図６（ｅ）→図６（ａ））。
【００７７】
このように前記連動部としての係合突起６は、装置シャッタ８が開いた状態から現像剤補給容器１を前記装置シャッタ８開封時の回転方向の逆方向（第２の方向）へ回転移動させることで、装置シャッタ８を封止かつロックされる位置に移動させる。
【００７８】
さらにハンドル２を持って前記第２の方向に回転をし続けると、装置シャッタ８はストッパー７ｄに規制されてそれ以上移動（回転）できなくなる。この規制により係合突起６は弾性変形して係合部８ｄから離脱する。すなわち前記連動部としての係合突起６は、現像剤補給容器１の回転移動に伴って装置シャッタ８との係合が解除されるようにスナップフィット構造部となっている。このスナップフィット構造部である係合突起６が係合部８ｄから離脱すると、現像剤補給容器１は装置シャッタ８と分離して回転し、最終的に図６（ａ）の状態まで戻る。この図６（ａ）の状態まで戻ると、前述した第１実施形態と同様に、現像剤補給容器１の係止突起１０が現像剤受け入れ装置７の縦溝７ｇに達して円弧溝７ｈによる規制から開放されるため（図４（ｃ）参照）、ユーザーはハンドル２を持って現像剤補給容器１を引き上げて現像剤受け入れ装置７から取り外す。
【００７９】
以上で一連の現像剤補給作業は完了する。
【００８０】
実際に現像剤を充填した現像剤補給容器１を１０本用意し、現像剤受け入れ装置７に装着して現像剤を排出させて画像形成を行い、現像剤が無くなったら現像剤補給容器１を脱着させる操作を繰り返した。現像剤補給容器１を脱着した状態では常に装置シャッタ８は封止位置にあってロックされており、現像剤受け入れ装置７の補給口７ｂから現像剤が漏れて飛散して現像剤受け入れ装置７を汚してしまうようなことはなかった。また、補給口７ｂから異物等が混入することもなく、形成された画像には白スジや転写抜け等の異物混入に起因する画像欠陥は全く見られなかった。
【００８１】
また、排出口１ｂ及び補給口７ｂの下縁に残留（蓄積）した現像剤は、現像剤補給容器１の交換の都度、現像剤受け入れ装置７内もしくは現像剤補給容器１内に回収され、第１実施形態よりもさらに現像剤による汚れが低減された。
【００８２】
以上説明したように、本実施形態によれば、現像剤補給容器１脱着後の現像剤の漏れ・飛散を極力抑えることができるとともに、現像剤受け入れ装置７への異物混入を確実に防止することができる。そして現像剤補給容器１の装着動作と、現像剤補給容器１の脱着不可の規制と、装置シャッタ８のロック解除動作のタイミングがずれているため、それぞれを行うのに必要な力が分散され、全体として軽微な力（概ね３０Ｎ以下）で補給操作を行うことができる。
【００８３】
さらに加えて、装置シャッタ８の開閉操作をも現像剤補給容器１の回転動作に連動させることにより、現像剤補給容器１の装着後に１アクションで、現像剤補給容器１の脱着不可、装置シャッタ８の開封や閉止ができ、操作手順を減らすことができる。しかも前記のように排出口１ｂの下縁と装置シャッタ８の上縁が略一致した状態で開閉することで、排出口１ｂ及び補給口７ｂの下縁上に残留した現像剤が現像剤受け入れ装置７内や現像剤補給容器１内に回収され、第１実施形態よりもさらに現像剤による汚れを少なくすることができる。
【００８４】
また、現像剤補給容器１の装着・装置シャッタ８の開封時と逆の操作をすることで装置シャッタ８の封止・現像剤補給容器１の脱着ができ、簡単でわかりやすい操作で現像剤が補給できる。
【００８５】
更に、前記係合突起６は、現像剤補給容器１の回転移動に伴って装置シャッタ８との係合が解除されるようにスナップフィット構造となっているため、現像剤補給容器１を回転移動させた際に、前記係合突起６を確実かつ容易に装置シャッタ８と係合させたり解除させたりすることができる。
【００８６】
また、排出口１ｂの下縁が装置シャッタ８の上縁に略一致したときに、前記装置シャッタ８が移動を開始するように構成することで、現像剤補給容器１の排出口１ｂと現像剤受け入れ装置７の補給口７ｂを対向させる際に、現像剤補給容器１や装置シャッタ８の外面を現像剤で汚す状況を極力回避することができる。
【００８７】
〔第３実施形態〕
本発明の第３実施形態を、図７〜図８を用いて説明する。なお、対応する部分の記号は第１実施形態及び第２実施形態と同じであり、これらと共通しているところは説明を省略する。
【００８８】
第３実施形態における現像剤補給容器１は、排出口１ｂを開閉する容器シャッタ３を有している。すなわち第３実施形態においては、排出口１ｂは、図７に示すように、現像剤補給容器１の外周面に沿った形状である容器シャッタ３により封止される。容器シャッタ３は、排出口１ｂの長手方向の両端に設けられたガイド部材１ｄと係合しており、円周方向に沿ってスライド移動し、排出口１ｂを開閉自在に封止する。さらに容器シャッタ３は、現像剤補給容器１を現像剤受け入れ装置７に装着すると、前記現像剤受け入れ装置７に対して移動不可に係止される係止部を有しており、本実施形態では後述するストッパー７ｄにより回転規制される容器シャッタ３の下縁３ａが前記係止部として機能する。
【００８９】
次に、第３実施形態における現像剤補給操作について、図８（ａ）〜（ｅ）を用いて説明する。
【００９０】
まず現像剤補給容器１を、現像剤受け入れ装置７へ矢印Ｆ方向から装着する。その際、現像剤補給容器１の排出口１ｂは、容器シャッタ３によって封止された状態にあり、同様に装置シャッタ８によって封止されている補給口７ｂから離れた位相に位置している。更に、容器シャッタ３は、その下縁３ａと補給口７ｂの上縁の位相が略一致（現像剤補給容器１及び現像剤受け入れ装置７の寸法公差や嵌合ガタ等により生じるズレは含む。以下同じ）した状態で、ストッパー７ｄにより円周方向への回転移動が規制されている（図８（ａ）、（ａ′）参照）。
【００９１】
次に、ユーザーがハンドル２を前記第１の方向に回転すると、現像剤補給容器１は容器シャッタ３と離間して回転する。更に回転が進んで、排出口１ｂの下縁（移動方向先端）が容器シャッタ３の下縁から露出するのと略同時に、装置シャッタ８の上縁（移動方向後端）に略一致する。この時、係合突起６の爪部６ｂが弾性変形することにより、係合突起６は装置シャッタ８の係合部８ｄと係合するのと同時に、係合突起６が当接することによりロックアーム９は弾性変形し、装置シャッタ８は開封可能にロック解除される（図８（ｂ）、（ｂ′）参照）。
【００９２】
装置シャッタ８のロック解除後、続いてハンドル２を回転させ続けると、係合突起６と装置シャッタ８の係合部８ｄとが係合しているため、装置シャッタ８の上縁（移動方向後端）が排出口１ｂの下縁（移動方向先端）と略一致したまま現像剤補給容器１と連動して移動（回転）する。これにより、補給口７ｂが開封されて、排出口１ｂと補給口７ｂが連通され、開封操作は完了する（図８（ｃ）参照）。
【００９３】
現像剤の補給が完了し再封する動作は、第２実施形態とほぼ同様であるが、容器シャッタ３に関するところのみ異なり、次にこれを説明する。
【００９４】
ユーザーがハンドル２を持って前記第２の方向に回転させていくと、装置シャッタ８の上縁と排出口１ｂの下縁とが略一致した状態で第２の方向（閉じる方向）に移動するが、装置シャッタ８が閉じ切るのと略同時に排出口１ｂの下縁が容器シャッタ３に入り込むように、現像剤補給容器１と装置シャッタ８の移動は連動される（図８（ｅ）参照）。
【００９５】
その他の動作等は第２実施形態と同様であり、ハンドル２を回し終えたらハンドル２を持って現像剤補給容器１を現像剤受け入れ装置７から取り外して一連の現像剤補給作業は完了する。なお、取り外した現像剤補給容器１の排出口１ｂは、容器シャッタ３によって密封されている。
【００９６】
実際に現像剤を充填した現像剤補給容器１を１０本用意し、現像剤受け入れ装置７に装着して現像剤を排出させて画像形成を行い、現像剤が無くなったら現像剤補給容器１を脱着させる操作を繰り返した。現像剤補給容器１を脱着した状態では常に装置シャッタ８は封止位置にあってロックされており、現像剤受け入れ装置７の補給口７ｂから現像剤が漏れて飛散して現像剤受け入れ装置７を汚してしまうようなことはなかった。また、補給口７ｂから異物等が混入することもなく、形成された画像には白スジや転写抜け等の異物混入に起因する画像欠陥は全く見られなかった。
【００９７】
以上説明したように、本実施形態によれば、現像剤補給容器１脱着後の現像剤の漏れ・飛散を極力抑えることができるとともに、現像剤受け入れ装置７への異物混入を確実に防止することができる。そして現像剤補給容器１の装着動作と、現像剤補給容器１の脱着不可の規制と、装置シャッタ８のロック解除動作のタイミングがずれているため、それぞれを行うのに必要な力が分散され、全体として軽微な力（概ね３０Ｎ以下）で補給操作を行うことができる。
【００９８】
さらに第３実施形態においては、取り外した現像剤補給容器１の排出口１ｂが容器シャッタ３で密封されているため、取り外した現像剤補給容器１を廃棄等行うに際しても、現像剤の漏れや飛散を更に低減でき、現像剤が飛散して周囲を汚すようなことはなく、さらにユーザビリティを向上させることができる。しかも容器シャッタ３は現像剤受け入れ装置７に移動不可に係止され、現像剤補給容器１を移動させることで排出口１ｂを開封・閉止できるため、特に操作を追加する必要がない。
【００９９】
また、係合突起６は、排出口１ｂの下縁が容器シャッタ３から露出するのと略同時に、装置シャッタの上縁に略一致し、このとき装置シャッタ８のロックが解除されるようになっているため、必要時以外は装置シャッタ８をロックし、現像剤受け入れ装置７への異物等の侵入を確実に防止することができる。
【０１００】
また、排出口１ｂの下縁が装置シャッタ８の上縁に略一致したときに、前記装置シャッタ８が移動を開始するように構成することで、現像剤補給容器１の排出口１ｂと現像剤受け入れ装置７の補給口７ｂを対向させる際に、現像剤補給容器１や装置シャッタ８の外面を現像剤で汚す状況を極力回避することができる。
【０１０１】
なお、容器シャッタ３と封止部材１１を併用し、新品の現像剤補給容器１の密閉は封止部材１１で行い、使用済みの現像剤補給容器１の再封は容器シャッタ３のみで簡易的に行うのが好ましいが、容器シャッタ３の現像剤補給容器１に対向する面、もしくは現像剤補給容器１の容器シャッタ３に対向する面に、発泡体等でなるパッキン部材を設け、容器シャッタ３のみで密封を行うようにしても良い。
【０１０２】
〔比較例〕
図９に比較例を示す。比較例では、装置シャッタ５８の係合部５８ｄの一部に、現像剤受け入れ装置５７の係止部材５７ｆの一部が嵌合して、装置シャッタ５８の回動を禁止している。ここで、現像剤補給容器５１を現像剤受け入れ装置５７に上方向から装着すると、現像剤補給容器５１が装置シャッタ５８の係合部５８ｄを下方に押して前記係合部５８ｄと前記係止部材５７ｆの嵌合を解除して、装置シャッタ５８のロックが解除される。
【０１０３】
このように図９に示す比較例では、現像剤受け入れ装置７への現像剤補給容器１の装着と同時に装置シャッタ８のロックが解除されるため、現像剤受け入れ装置７から現像剤補給容器１を脱着した際に、装置シャッタ８のロックがかからないことがまれに生じ、ユーザーが誤って装置シャッタ８に触れてこれを開いてしまう不具合が生じる。
【０１０４】
〔他の実施形態〕
前述した実施形態では、現像剤補給容器の容器本体の形状として、略円筒状のものを例示したが、本発明はこれに限定されるものではなく、現像剤を収納する略筒状の形状であればその他の形状であっても良い。
【０１０５】
また前述した実施形態では、画像形成装置として複写機を例示したが、本発明はこれに限定されるものではなく、例えばプリンタ、ファクシミリ装置等の他の画像形成装置や、或いはこれらの機能を組み合わせた複合機等の他の画像形成装置であっても良く、該画像形成装置に用いる現像剤補給容器に本発明を適用することにより同様の効果を得ることができる。また、中間転写ベルト、中間転写ドラム等の中間転写体を使用し、該中間転写体に各色の現像剤像を順次重ねて転写し、該中間転写体に担持された現像剤像を記録媒体に一括して転写する画像形成装置や、搬送ベルト、搬送ドラム等の記録媒体担持体を使用し、該記録媒体担持体に担持された記録媒体に各色の現像剤像を順次重ねて転写する画像形成装置であっても良く、該画像形成装置に用いる現像剤補給容器に本発明を適用することにより同様の効果を得ることができる。
【０１０６】
また本発明は、画像形成装置に用いられる現像装置の数に限定されるものではなく、例えば、１つの現像装置を有する画像形成装置、或いは、異なる色の現像剤で画像形成を行う複数個の現像装置を有する画像形成装置であっても良く、現像装置の数に関係なく同様に適用ができ、同様の作用効果を達成し得るものである。
【図面の簡単な説明】
【０１０７】
【図１】本発明の実施形態における現像剤補給容器が装着される電子写真画像形成装置の一例である電子写真複写機の構成を示す模式断面図である。
【図２】第１実施形態における現像剤補給容器を示す、（ａ）斜視図、（ｂ）側面図、（ｃ）Ａ部拡大図である。
【図３】第１実施形態における、（ａ）現像剤受け入れ装置の補給口密封時の様子を示す斜視図、（ｂ）現像剤受け入れ装置の補給口開封時の様子を示す斜視図、（ｃ）装置シャッタのロック機構を示す斜視図、（ｄ）装置シャッタのロック機構を示す断面拡大図、（ｅ）現像剤受け入れ装置の係止溝の構成を示す側面図である。
【図４】第１実施形態における、（ａ）現像剤補給容器の現像剤受け入れ装置への装着直後の様子を示す斜視図、（ｂ）現像剤補給容器の現像剤受け入れ装置装着後、ハンドル回転完了後の様子を示す斜視図、（ｃ）現像剤補給容器の現像剤受け入れ装置への装着直後の様子を示す断面側面図、（ｄ）現像剤補給容器の現像剤受け入れ装置装着後、ハンドル回転中の様子を示す断面側面図、（ｅ）装置シャッタのロック解除機構を示す断面拡大図である。
【図５】第２実施形態における、（ａ）現像剤受け入れ装置の補給口密封時の様子を示す斜視図、（ｂ）現像剤受け入れ装置の補給口開封時の様子を示す斜視図、（ｃ）装置シャッタのロック機構を示す斜視図である。
【図６】第２実施形態における現像剤補給容器の装着・開封操作での、（ａ）容器装着直後、（ｂ）容器回転中、（ｃ）現像剤排出中、（ｄ）現像剤排出完了、（ｅ）容器回転中の様子を示す側面断面図である。
【図７】第３実施形態における現像剤補給容器を示す斜視図である。
【図８】第３実施形態における現像剤補給容器の一連の現像剤補給操作での、（ａ）容器装着直後、（ａ′）現像剤排出口周辺拡大、（ｂ）容器回転中、（ｂ′）現像剤排出口周辺拡大、（ｃ）現像剤排出中、（ｄ）現像剤排出完了、（ｅ）容器回転中の様子を示す側面断面図である。
【図９】比較例における現像剤補給容器及び現像剤受け入れ装置の様子を示す側面断面図である。
【符号の説明】
【０１０８】
Ｆ    …斜面
Ｇ    …斜面
１    …現像剤補給容器
１ａ  …容器本体
１ｂ  …排出口
１ｃ  …充填口
１ｄ  …ガイド部材
２    …ハンドル
３    …容器シャッタ
３ａ  …下縁（係止部）
４    …撹拌部材
５    …駆動ギア
６    …係合突起（連動部）
６ｂ  …爪部（解除する部位）
７    …現像剤受け入れ装置
７ａ  …収納部
７ｂ  …補給口（受け入れ口）
７ｃ  …ガイド部材
７ｄ  …ストッパー
７ｅ  …係止溝
７ｆ  …係合穴
７ｇ  …縦溝
７ｈ  …円弧溝
８    …装置シャッタ
８ａ  …封止部
８ｂ  …装置シャッタ開口部
８ｃ  …ツマミ部
８ｄ  …係合部
９    …ロックアーム
９ａ  …爪部
１０  …係止突起（規制される部位）
１１  …封止部材
１５  …交換用カバー
【図１】
2006189675.tif 000003
【図２】
2006189675.tif 000004
【図３】
2006189675.tif 000005
【図４】
2006189675.tif 000006
【図５】
2006189675.tif 000007
【図６】
2006189675.tif 000008
【図７】
2006189675.tif 000009
【図８】
2006189675.tif 000010
【図９】
2006189675.tif 000011